(57)【要約】【課題】動物等によるごみの散乱公害を防止することはもちろん、女性や子どもでも簡単に組み立て・折り畳みを行うことができ、かつ重量のあるごみであっても容易に投入・回収でき、しかも製作コストが安価な大型のごみ収納装置を提供する。【解決手段】本発明に係る折り畳み式ごみ収納装置は、左右の支柱21，21とそれらの上端を連結する梁22とを備え、地面から直立する背面部材2と、この背面部材の左右の支柱21，21に、背面部材2に密着した折り畳み位置から前方に回転できるように取り付けられた左右一対の側面部材3，3と、各側面部材3の先端側に、側面部材3に密着した折り畳み位置から前方に回転できるように取り付けられた左右一対の前面部材4，4と、この背面部材2の梁22に、背面部材2に沿った折り畳み位置から、左右一対の側面部材3，3および前面部材4，4の上端位置まで上方に回転できるように取り付けられた天井部材5とからなる。【選択図】図１
2012111559.tif 000002
【特許請求の範囲】
【請求項１】
左右の支柱とそれらの上端を連結する梁とを備え、地面から直立する背面部材と、
この背面部材の左右の支柱に、背面部材に密着した折り畳み位置から前方に回転できるように取り付けられた左右一対の側面部材と、
各側面部材の先端側に、側面部材に密着した折り畳み位置から前方に回転できるように取り付けられた左右一対の前面部材と、
この背面部材の梁に、背面部材に沿った折り畳み位置から、左右一対の側面部材および前面部材の上端位置まで上方に回転できるように取り付けられた天井部材と
からなることを特徴とする折り畳み式ごみ収納装置。
【請求項２】
天井部材の先端中央部に、左右一対の前面部材の先端どうしを連結固定する連結手段を設けたことを特徴とする請求項１に記載の折り畳み式ごみ収納装置。
【請求項３】
背面部材、側面部材、前面部材が外枠にネットを張ったものであり、少なくとも背面部材と側面部材の下方部は、強度のある板または金属ネットで構成したことを特徴とする請求項１に記載の折り畳み式ごみ収納装置。
【請求項４】
一方の側面部材に、開閉可能な扉を設けたことを特徴とする請求項１に記載の折り畳み式ごみ収納装置。
【発明の詳細な説明】
【技術分野】
【０００１】
本発明は、各家庭から排出される生ごみ等の一般ごみを、ゴミ回収場所において一時的に収納するための折り畳み式ごみ収納装置に関するものである。
【背景技術】
【０００２】
家庭から排出される生ごみや合成樹脂製容器等の一般ごみは、通常各家庭でポリエチレン製のごみ袋に袋詰めされ、各自治体指定のごみ回収日に所定の場所に集められたうえ、ごみ回収業者等によって回収される。近年、ゴミ回収場所において、カラスや猫等の動物がごみ袋を破り、ごみが散乱する被害が多発している。このような事態は、悪臭の発生等衛生上好ましくないばかりでなく、ごみ回収の作業効率の低下や、回収後の住民等による清掃作業の負担を招いている。
【０００３】
この被害を軽減するため、ごみ回収場所にごみを集積しておくための箱を設置する取り組みが行われている。例えば、特許文献１には、不使用時にはコンパクトに折り畳まれ、使用時にはごみ収納スペースを簡便に形成できるように設計された街路据え置き式のごみ回収箱が記載されている。
【０００４】
このごみ回収箱は、後板部材と、下端にキャスターを有する前板部材と、後板部材と前板部材とに連結された折り畳み可能な側方部材とを備えたものである。前板部材を後板部材から前方移動させることにより後板部材と側方部材と前板部材とでごみ袋を収納するための収納用空間が包囲形成されると共に、収納用空間の上面を覆う被覆体を有し、収納空間が形成された拡張状態から前板部材を後板部材へ後方移動させることにより側方部材が折り畳まれて縮小状態になることを特徴としている。設置場所において、ごみ袋を収集する為の被覆体付きの収納用空間が包囲形成できると共に、ごみ袋の回収後は、拡張状態から縮小状態に折り畳まれて街路上の一角にコンパクトに据え置かれるようにしたものである。
【０００５】
しかしこのような構造の集積箱は、後板部材と前板部材と側方部材とが相互に連結されているため、拡張又は縮小状態に変化させる際に被覆体を持ち上げながら前板部材を左右均等の力で押したり引いたりする必要がある。そのため、一定の地域住民分のごみを集積するような大型の集積箱では、女性一人で集積箱の組み立て・折り畳みを行うことは容易ではないという問題がある。また、被覆体を持ち上げて上部からごみの出し入れを行うため、重量のあるごみを投入・回収することは容易ではないという問題がある。さらに、製作コストが嵩むという問題もある。
【先行技術文献】
【特許文献】
【０００６】
【特許文献１】特開２００３−２６７５０２号公報
【発明の概要】
【発明が解決しようとする課題】
【０００７】
本発明の目的は前記した従来の問題を解決し、動物等によるごみの散乱公害を防止することはもちろん、女性や子どもでも簡単に組み立て・折り畳みを行うことができ、かつ重量のあるごみであっても容易に投入・回収でき、しかも製作コストが安価な大型のごみ収納装置を提供することである。
【課題を解決するための手段】
【０００８】
上記の課題を解決するためになされた本発明に係る折り畳み式ごみ収納装置は、左右の支柱とそれらの上端を連結する梁とを備え、地面から直立する背面部材と、この背面部材の左右の支柱に、背面部材に密着した折り畳み位置から前方に回転できるように取り付けられた左右一対の側面部材と、各側面部材の先端側に、側面部材に密着した折り畳み位置から前方に回転できるように取り付けられた左右一対の前面部材と、この背面部材の梁に、背面部材に沿った折り畳み位置から、左右一対の側面部材および前面部材の上端位置まで上方に回転できるように取り付けられた天井部材とからなることを特徴とするものである。
【０００９】
また、天井部材の先端中央部に、左右一対の前面部材の先端どうしを連結固定する連結手段を設けることが好ましい。
【００１０】
また、背面部材、側面部材、前面部材が外枠にネットを張ったものであり、少なくとも背面部材と側面部材の下方部は、強度のある板または金属ネットで構成したものであることが好ましい。
【００１１】
さらに、一方の側面部材に、開閉可能な扉を設けることが好ましい。
【発明の効果】
【００１２】
本発明に係る折り畳み式ごみ収納装置は、左右の支柱とそれらの上端を連結する梁とを備え、地面から直立する背面部材と、該背面部材の左右の支柱に連結された左右一対の側面部材と、側面部材の先端側に連結された左右一対の前面部材と、該背面部材の梁に沿って取り付けられた天井部材とからなる。各側面部材は一端が背面部材と、他端が各前面部材と連結されてなる。また、各側面部材は背面部材との連結部を軸に前後に回転し、各前面部材は側面部材との連結部を軸に前後に回転する。さらに、前記天井部材も背面部材の梁に沿って上下に回転する。このように、側面部材、前面部材、天井部材が回転自在であるため、後述の手順に従って前記各部材を適宜回転させることにより、女性や子どもでも簡単にごみ収納装置の組み立て・折り畳みを行うことができる。また、前面部材が観音扉式に開口するため、大型ごみや重量のあるごみであっても難なく搬入・搬出することができる。組み立てた状態では四方及び天井面が各部材により覆われるので、カラスや猫などの動物が侵入することがなく、ごみの散乱公害を防止することができる。さらに、不使用時においては平板状に折り畳んだ状態で据え置かれるため、道路脇に設置しても通行の妨げになることもない。  
【００１３】
また、天井部材の先端中央部に、左右一対の前面部材の先端どうしを連結固定する連結手段を設ければ、ごみ収納装置内に動物が侵入することをより確実に防止することができる。また、万が一ごみ袋の山が崩れた場合にも、ごみ袋が収納装置外に飛び出すこともない。
【００１４】
さらに、背面部材、側面部材、前面部材を外枠にネットを張ったものとすることもできる。これにより、ごみ収納装置を軽量化でき、製作コストも低廉化できる。また、背面部材と側面部材の下方部を強度のある板または金属ネットで構成すれば、ごみ袋の重みで背面部材や側面部材が変形することを防止できる。
【００１５】
さらに、一方の側面部材に、開閉可能な扉を設けておけば、手を汚すことなくごみ出しを行え、ごみ回収作業も迅速に行うことができる。
【図面の簡単な説明】
【００１６】
【図１】組み立て完成後の状態を示す斜視図である。
【図２】折り畳み状態を示す斜視図である。
【図３】天井部材を上方に回転させた状態を示す斜視図である。
【図４】図３の状態から、右側面部材を右方向に９０度回転させた状態を示す斜視図である。
【図５】図４の状態から、左側面部材を左方向に９０度回転させた状態を示す斜視図である。
【図６】図５の状態から、左前面部材を前方に９０度回転させた状態を示す斜視図である。
【図７】右側面部材に設けられた扉を開いた状態を示す斜視図である。
【図８】ごみ袋が収納された状態を示す斜視図である。
【図９】天井部材が側面部材に支持された状態を示す右側面上部拡大図である。
【図１０】天井部材と前面部材との連結状態の説明図である。
【図１１】前面開口状態を示す上面図である。
【発明を実施するための形態】
【００１７】
以下に本発明の好ましい実施形態を示す。
本発明に係るごみ収納装置１は、図１に示すように、左右の支柱２１、２１とそれらの上端を連結する梁２２とを備え、地面から直立する背面部材２と、該背面部材２の左右の支柱２１，２１に連結された左右一対の側面部材３，３と、側面部材３，３の先端側に連結された左右一対の前面部材４，４と、該背面部材２の梁２２に沿って取り付けられた天井部材５とからなる。前記各部材は、その大きさは異なるもののいずれも長方形であり、この実施形態ではステンレスや鉄等の金属製の外枠にネットを張ったものである。このように、金属製の外枠とネットを組み合わせることで、ごみ収納装置全体を軽量化できるとともに製作コストも抑えることができる。なお、少なくとも背面部材２と側面部材３の下方部２３、３３は、強度のある板または金属ネットで構成されている。これにより、山積みされたごみ袋の重みによる変形を防止することができる。
【００１８】
背面部材２は横長長方形であり、側面部材３又は前面部材４の２枚分の大きさである。背面部材２の左右の支柱２１，２１はこの実施形態では溝型鋼からなり、それらの上端には、天井部材５を軸支するための軸受２４、２４がビス止めされている。また、背面部材２の左右の支柱２１，２１の下端には、地面に固定するための固定具２５、２５が溶接されており、ごみ収納装置１をごみ回収場所付近に据え置くことができる。固定具２５上には、側面部材２の回転を所定の位置で止めるための係止部材２６が立設されている。係止部材２６はＬ字状の垂直平板であり、これにより各側面部材３は前方に９０度回転した位置で係止部材２６に確実に固定される。さらに、背面部材２の中央には、図３のように折り畳まれた側面部材３が不用意に開くことのないよう、側面部材３を背面部材２に密着させるための留め具２７が設けられている。
【００１９】
天井部材５は、背面部材２と同様に横長長方形であり、その短辺の長さは背面部材２の梁２２から側面部材３の上端辺に亘り、長辺の長さは側面部材３又は前面部材４の上端辺の２倍強である。また、前記背面部材２の梁２２と隣接する天井部材上端辺の左右両端には前記軸受２４に支持される支軸５４が溶着されている。当該支軸５４が軸受２４に支持されることによって、天井部材５は上下に回転することができる。図３及び図９に示すように、当該回転は天井部材５の前記支軸５４よりも後方の上端辺が背面部材２の梁２２に当接することによって止まるため、強風等の悪天候下でも天井部材５が跳ね上がることを防止できる。また、天井部材５の裏面には側面部材３，３の先端部に設けられた支持部材３４に嵌合される嵌合部材５２が溶着されている。これにより、ごみ収納スペースが形成された状態において、天井部材５が側面部材３，３に確実に支持される。また、天井部材５の先端中央部には、左右一対の前面部材４，４の先端どうしを連結固定する連結部材５１が溶接されている。なお、当該連結部材５１は、図１０に示すようにΩ形に形成されているが、前面部材４を連結固定できるものであればよく、当該形状に限定されない。
【００２０】
各側面部材３，３は縦長長方形であり、蝶番３１、３２によって背面部材２と上下２箇所で連結されている。図３〜図５に示すように、右側面部材３Ａは、背面部材２と密着した状態から背面部材２との連結部を軸に右方向に９０度回転し、右側面部材３Ａの下端が前記係止部材２６Ａに固定される。同様に、左側面部材３Ｂも、背面部材２と密着した状態から背面部材２との連結部を軸に左方向に９０度回転し、左側面部材３Ｂの下端が前記係止部材２６Ｂに固定される。また、側面部材３，３と前面部材４，４とを連結する蝶番４１，４１の上部には天井部材５を係合支持するための支持部材３４，３４がビス止めされている。またこの実施形態では、右側面部材３Ａには、開閉可能な扉６が設けられている。この扉６は、外縁が右側面部材３Ａの外枠に内接され、上下の蝶番６１，６２によって側面部材３Ａの外枠に固定されている。扉６の左縁には取手６３が取り付けられており、当該取手６３を上方に回動させることにより扉６が開き、逆に、側面部材３Ａの左側端部に取り付けられた取手ストッパー３５に当該取手６３の先端部が係止されるまで、取手６３を下方に回動させることにより扉６が閉まる。この実施形態では、扉６の下方部は金属ネットにより構成されている。
【００２１】
各前面部材４，４は、各側面部材３，３と同等の大きさの縦長長方形である。各前面部材４，４は、蝶番４１、４２により側面部材３，３の先端側と連結されている。図５〜図７及び図１１に示すように、右前面部材４Ａは、右側面部材３Ａと密着した状態から右側面部材３Ａとの連結部を軸に前方に向かって回転し、同様に、左前面部材４Ｂも、左側面部材３Ｂと密着した状態から左側面部材３Ｂとの連結部を軸に前方に向かって回転することができる。このように、前面部材４,４は観音扉式であるため、大型ごみや重量のあるごみであっても前面開口部から容易に搬入・搬出することができる。また、各前面部材４，４の側端部の上下２箇所には、前面部材どうしを連結固定するための一対の円筒状部材４３，４４が段違いに溶接されており、当該円筒状部材４３，４４にＬ字型棒状部材７，８が挿入されることにより前面部材どうしが連結固定される。なお、前述の天井部材５の先端中央部に溶接された連結部材５１と上段の円筒状部材４３Ａ、４３ＢとにＬ字型棒状部材７が挿入されることにより、天井部材５をも同時に連結固定し得る。
【００２２】
以下、当該ごみ収納装置の組み立て方法について説明する。図２及び図３に示すように、当該ごみ収納装置１は、背面部材２と側面部材３，３との間に前面部材４，４を挟むようにして折り畳まれている。各側面部材３，３の一端は前記Ｔ字型留め具２７によって仮留めされ、さらにその上から、天井部材５が側面部材３，３を覆うように重なっている。
【００２３】
その状態から、図３及び図４に示すように、天井部材５を上方に持ち上げ、右側面部材３Ａを右方向に９０度回転させる。この時、係止部材２６Ａに右側面部材３Ａの下端が係止されるようにする。同様に、左側面部材３Ｂも左方向に９０度回転させる。そして、天井部材５の裏面に溶着された嵌合部材５２を側面部材３，３にビス止めされた支持部材３４に嵌合させる。なお、右側面部材３Ａと左側面部材３Ｂを手前に開くあいだ、天井部材５を上方に持ち上げた状態に仮保持させるため、適当な棒を用いることができる。
【００２４】
その後、図５から図７に示すように、左右の前面部材４Ａ、４Ｂを前方に９０度回転させる。そして、Ｌ字型棒状部材７を天井部材の先端中央部に取り付けられた連結部材５１、各前面部材４，４の先端辺に溶接された一対の円筒状部材４３Ａ，４３Ｂの順に上方から挿入する。同様に、下段の円筒状部材４４Ａ、４４ＢにもＬ字型棒状部材８を挿入し、前面部材下方部を連結固定する。以上により、組み立てが完了して図１の状態となる。
【００２５】
この状態では前面、背面、左右側面、天井面が完全に塞がれた状態となるので、カラスや猫などが侵入することはない。ごみの搬入や搬出は、扉６から行うことができ、Ｌ字型棒状部材７，８を取り外せば前面開口部から行うこともできる。
【００２６】
なお、ごみが回収された後にごみ収納装置１を折り畳む場合は、上記と逆の手順を踏む。図２に示すように平板状に折り畳むことができるので、道路脇に設置しても通行の支障となることはない。
【００２７】
以上に説明した本発明のごみ収納装置１は、支柱の他は金枠、ネット、蝶番などにより構成されているために製作コストや安価であり、しかも組み立て状態、折り畳み状態ともに安定性に優れるものであり、子供や女性一人でも簡単に操作することができるなど、多くの利点を備えたものである。
【符号の説明】
【００２８】
１  ごみ収納装置
２  背面部材
３  側面部材
４  前面部材
５  天井部材
６  扉
７，８  Ｌ字型棒状部材
２１  支柱
２２  梁
２４  軸受
２５  固定具
２６  係止部材
２７  留め具
３１  蝶番（上段）
３２  蝶番（下段）
３４  支持部材
３５  取手ストッパー
４１  蝶番（上段）
４２  蝶番（下段）
４３  円筒状部材（上段）
４４  円筒状部材（下段）
５１  連結部材
５２  嵌合部材
５４  支軸
６１  蝶番（上段）
６２  蝶番（下段）
６３  取手
【図１】
2012111559.tif 000003
【図２】
2012111559.tif 000004
【図３】
2012111559.tif 000005
【図４】
2012111559.tif 000006
【図５】
2012111559.tif 000007
【図６】
2012111559.tif 000008
【図７】
2012111559.tif 000009
【図８】
2012111559.tif 000010
【図９】
2012111559.tif 000011
【図１０】
2012111559.tif 000012
【図１１】
2012111559.tif 000013